【手続補正書】
【提出日】平成24年4月16日(2012.4.16)
【手続補正１】
【補正対象書類名】特許請求の範囲
【補正対象項目名】全文
【補正方法】変更
【補正の内容】
【特許請求の範囲】
【請求項１】
電子データを格納する第１の格納手段と、
複数の電子データを結合するか否かを判定するための結合条件を格納する第２の格納手段と、
前記第１の格納手段に格納される第１の電子データと第２の電子データとが前記結合条件を満たすか否かを判定する判定手段と、
前記判定手段により前記結合条件を満たすと判定された場合に、前記第１の電子データと前記第２の電子データとを結合する結合手段と、
を備える情報処理装置。
【請求項２】
前記判定手段により前記結合条件を満たすと判定されなかった場合に、前記第１の電子データと前記第２の電子データとを結合せずに前記第１の格納手段に格納する格納制御手段を備えることを特徴とする請求項１に記載の情報処理装置。
【請求項３】
前記第１の格納手段に格納される複数の前記電子データを、前記結合条件に基づき結合する前記電子データ毎に管理する管理手段を備えることを特徴とする請求項１または２に記載の情報処理装置。
【請求項４】
前記第１の格納手段に格納され、前記管理手段により管理されていない前記第１の電子データを取得する取得手段を備え、
前記判定手段は、
前記第１の電子データと前記管理手段により管理されている前記第２の電子データとが前記結合条件を満たすか否かを判定し、
前記管理手段は、
前記判定手段による判定に応じて、前記第１の電子データおよび前記第２の電子データを前記結合条件に基づき結合する前記電子データ毎に管理することを特徴とする請求項３に記載の情報処理装置。
【請求項５】
前記管理手段は、
前記第１の格納手段に格納される複数の前記電子データのうち、前記結合条件に基づき結合する前記電子データ同士を、共通する識別情報で管理し、
さらに前記判定手段により、前記第１の格納手段に格納され前記管理手段により管理されていない前記第１の電子データと前記管理手段により管理されている前記第２の電子データとが前記結合条件を満たさないと判定された場合に、前記第１の電子データを新たな前記識別情報で管理することを特徴とする請求項４に記載の情報処理装置。
【請求項６】
前記結合条件は、前記電子データの属性に基づく条件であることを特徴とする請求項１乃至４のいずれか１項に記載の情報処理装置。
【請求項７】
前記電子データの属性に基づく条件は、前記画像データ同士のファイル名が類似することであることを特徴とする請求項６記載の情報処理装置。
【請求項８】
前記情報処理装置は、画像処理装置または画像形成装置であることを特徴とする請求項１乃至７のいずれか１項に記載の情報処理装置。
【請求項９】
情報処理装置を制御するプログラムであって、
電子データを格納する第１の格納手段と、
複数の電子データを結合するか否かを判定するための結合条件を格納する第２の格納手段と、
前記第１の格納手段に格納される第１の電子データと第２の電子データとが前記結合条件を満たすか否かを判定する判定手段と、
前記判定手段により前記結合条件を満たすと判定された場合に、前記第１の電子データと前記第２の電子データとを結合する結合手段としてコンピュータを機能させるためのプログラム。
【請求項１０】
請求項９に記載のプログラムを記録したコンピュータ読み取り可能な記録媒体。
【手続補正２】
【補正対象書類名】明細書
【補正対象項目名】発明の名称
【補正方法】変更
【補正の内容】
【発明の名称】情報処理装置、プログラム、及び記録媒体
【手続補正３】
【補正対象書類名】明細書
【補正対象項目名】０００８
【補正方法】変更
【補正の内容】
【０００８】
本発明における一局面の情報処理装置は、電子データを格納する第１の格納手段と、複数の電子データを結合するか否かを判定するための結合条件を格納する第２の格納手段と、前記第１の格納手段に格納される第１の電子データと第２の電子データとが前記結合条件を満たすか否かを判定する判定手段と、前記判定手段により前記結合条件を満たすと判定された場合に、前記第１の電子データと前記第２の電子データとを結合する結合手段と、を備える。また、参考例における画像処理装置は、画像データを格納する格納手段から画像データを取得して、該画像データを配信する画像処理装置であって、複数の画像データをまとめるためのバインド条件を設定する設定手段と、前記格納手段に前記画像データが格納されたかを監視する監視手段と、前記監視手段により画像データが格納されたことを検知した場合に該画像データを取得し、該画像データを前記バインド条件に従ってバインドする結合手段と、前記結合手段によりバインドされた画像データを１つのジョブとし、１以上の処理の流れを定義する処理フローに従って、前記１以上の処理の適用を制御するフロー制御手段とを備える。
【手続補正４】
【補正対象書類名】明細書
【補正対象項目名】０００９
【補正方法】変更
【補正の内容】
【０００９】
また、参考例における他の局面の画像形成装置は、画像データを格納する格納手段から画像データを取得して、該画像データを配信する画像形成装置であって、複数の画像データをまとめるためのバインド条件を設定する設定手段と、前記格納手段に前記画像データが格納されたかを監視する監視手段と、前記監視手段により画像データが格納されたことを検知した場合に該画像データを取得し、該画像データを前記バインド条件に従ってバインドする結合手段と、前記結合手段によりバインドされた画像データを１つのジョブとし、１以上の処理の流れを定義する処理フローに従って、前記１以上の処理の適用を制御するフロー制御手段とを備える。
【手続補正５】
【補正対象書類名】明細書
【補正対象項目名】００１０
【補正方法】変更
【補正の内容】
【００１０】
また、参考例における他の局面の画像処理システムは、ネットワークに接続された画像形成装置と画像処理装置とを備える画像処理システムであって、前記画像形成装置は、画像を読み込み、画像データを取得する画像読込手段と、前記画像読込手段により取得された画像データを格納手段に送信する送信手段とを備え、前記画像処理装置は、複数の画像データをまとめるためのバインド条件を設定する設定手段と、前記格納手段に前記画像データが格納されたかを監視する監視手段と、前記監視手段により画像データが格納されたことを検知した場合に該画像データを取得し、該画像データを前記バインド条件に従ってバインドする結合手段と、前記結合手段によりバインドされた画像データを１つのジョブとし、１以上の処理の流れを定義する処理フローに従って、前記１以上の処理の適用を制御するフロー制御手段とを備える。
【手続補正６】
【補正対象書類名】明細書
【補正対象項目名】００１１
【補正方法】変更
【補正の内容】
【００１１】
また、参考例における他の局面の画像処理方法は、画像データを格納する格納手段から画像データを取得して、該画像データを配信する画像処理方法であって、複数の画像データをまとめるためのバインド条件を設定する設定ステップと、前記格納手段に前記画像データが格納されたかを監視する監視ステップと、前記監視ステップにより画像データが格納されたことを検知した場合に該画像データを取得し、該画像データを前記バインド条件に従ってバインドする結合ステップと、前記結合ステップによりバインドされた画像データを１つのジョブとし、１以上の処理の流れを定義する処理フローに従って、前記１以上の処理の適用を制御するフロー制御ステップとを有する。
【手続補正７】
【補正対象書類名】明細書
【補正対象項目名】００１２
【補正方法】変更
【補正の内容】
【００１２】
また、本発明の情報処理装置は、コンピュータにより実行可能なプログラムにより実現することができ、また、プログラムを記録した記録媒体をコンピュータに読み取らせて実現することも可能である。